(57)【特許請求の範囲】
【請求項１】
液透過性の表面シートと、液不透過性の裏面シートと、これらシート間に配された吸収体とを備えた吸収性物品を包装体に収納してなる吸収性物品の包装構造体であって、
前記吸収性物品は、前記裏面シートを構成するフィルムよりも外面側にシート材が１枚又は２枚以上配されており、
前記フィルム及び／又は前記シート材は、少なくとも一部がフォトクロミック化合物を用いて形成されており、
前記包装体は、その外面の一部に図柄を記載又は貼付可能な第１窓部と、該第１窓部を覆う取り外し可能な被覆材とを有し、
前記第１窓部は、紫外光透過性のシート材で形成され、該第１窓部以外の領域及び前記被覆材は、紫外光非透過性のシート材で形成されており、
前記被覆材を取り外した第１窓部に図柄を記載又は貼付すると、該図柄以外の該第１窓部の部分に対応する位置の前記フォトクロミック化合物が紫外光に反応して、該フォトクロミック化合物を用いて形成された前記吸収性物品の前記フィルム又は前記シート材に、前記図柄が転写する吸収性物品の包装構造体。
【請求項２】
前記第１窓部は、その形状が図柄であり、該第１窓部に対応する位置に、フォトクロミック化合物を用いて形成された前記吸収性物品の前記フィルム又は前記シート材の一部が配されている請求項１に記載の吸収性物品の包装構造体。
【請求項３】
前記フォトクロミック化合物は、熱不可逆性のフォトクロミック化合物である請求項１又は２に記載の吸収性物品の包装構造体。
【請求項４】
前記フォトクロミック化合物を用いて形成された前記吸収性物品の前記フィルム又は前記シート材の一部は、その大きさが前記第１窓部の大きさよりも大きいか又は等しい請求項１〜３の何れか１項に記載の吸収性物品の包装構造体。
【請求項５】
前記包装体は、前記第１窓部の外面が剥離処理されており、前記被覆材が再粘着可能である請求項１〜４の何れか１項に記載の吸収性物品の包装構造体。
【請求項６】
前記包装体は、その外面の一部に前記第１窓部以外の他の窓部を有している請求項１〜５の何れか１項に記載の吸収性物品の包装構造体。
【請求項７】
前記吸収性物品は、腹側部、背側部及び股下部に区分された使い捨ておむつであり、
前記包装体には、前記使い捨ておむつが複数収納されており、隣り合う一方の使い捨ておむつの腹側部と他方の使い捨ておむつの背側部とを対向させて収納されている請求項１〜６の何れか１項に記載の吸収性物品の包装構造体。
【発明の詳細な説明】
【技術分野】
【０００１】
本発明は、使い捨ておむつや生理用ナプキン等の吸収性物品に関する。
【背景技術】
【０００２】
一般的に、使い捨ておむつや生理用ナプキン等の吸収性物品は、包装体に収納された状態で販売されている。使い捨ておむつや生理用ナプキン等の吸収性物品は、通常、白色であり、経時変化により黄変し易いものである。このような黄変の一原因である紫外光に内容物である吸収性物品が晒されることを防止するために、包装体には、一般的に、紫外光非透過性のシート材が用いられている。
【０００３】
ところで、特許文献１，特許文献２には、トップシート上の全ての図柄が、光により色変化を起こすフォトクロミック染料を用いて形成されている使い捨ておむつ等の吸収性物品が開示されている。特許文献１，特許文献２に記載の吸収性物品は、光により色変化を起こすフォトクロミック染料を図柄に用いているため、特許文献１，特許文献２に記載の吸収性物品を履いて外出し太陽光に当たると、フォトクロミック染料を用いた図柄が変化し、吸収性物品に対する関心を高めることができる。
【先行技術文献】
【特許文献】
【０００４】
【特許文献１】特表２０１０−５１６３７５号公報
【特許文献２】特表２００７−５３３４１７号公報
【発明の開示】
【発明が解決しようとする課題】
【０００５】
しかし、特許文献１にも特許文献２にも、図柄が、光により色変化を起こすフォトクロミック染料を用いて形成されていること以外、何ら記載されておらず、フォトクロミック染料を用いて形成された吸収性物品と包装体との関係について何ら記載されていない。特に、特許文献１にも特許文献２にも、自分が創造したオリジナルの柄等が容易に形成される吸収性物品に関して、何ら記載されていない。
【０００６】
したがって、本発明の課題は、自分が創造したオリジナルの柄等が容易に形成される吸収性物品の包装構造体を提供することにある。
【課題を解決するための手段】
【０００７】
本発明は、液透過性の表面シートと、液不透過性の裏面シートと、これらシート間に配された吸収体とを備えた吸収性物品を包装体に収納してなる吸収性物品の包装構造体であって、前記吸収性物品は、前記裏面シートを構成するフィルムよりも外面側にシート材が１枚又は２枚以上配されており、前記フィルム及び／又は前記シート材の１枚は、少なくとも一部がフォトクロミック化合物を用いて形成されており、前記包装体は、その外面の一部に図柄を記載又は貼付可能な第１窓部と、該第１窓部を覆う取り外し可能な被覆材とを有し、前記第１窓部は、紫外光透過性のシート材で形成され、該第１窓部以外の領域及び前記被覆材は、紫外光非透過性のシート材で形成されており、前記被覆材を取り外した第１窓部に図柄を記載又は貼付すると、該図柄以外の該第１窓部の部分に対応する位置の前記フォトクロミック化合物が紫外光に反応して、該フォトクロミック化合物を用いて形成された前記吸収性物品の前記フィルム又は前記シート材に、前記図柄が転写する吸収性物品の包装構造体を提供するものである。
【発明の効果】
【０００８】
本発明の吸収性物品の包装構造体によれば、自分が創造したオリジナルの柄等が容易に形成できる。従って、創造性が培われるとともに、自分が創造したオリジナルの柄等が形成された吸収性物品を着用できる喜びを味わうことができる。
【図面の簡単な説明】
【０００９】
【図１】本発明の第1実施形態である吸収性物品の包装構造体を示す斜視図である。
【図２】図２は、図１に示す包装構造体の左側面図である。
【図３】図３は、図１に示す包装構造体で得られる図柄転写された吸収性物品の正面図である。
【図４】図４は、図１に示す包装構造体を構成する吸収性物品の一形態であるパンツ型使い捨ておむつの着用状態を示す斜視図である。
【図５】図５は、図４に示すパンツ型使い捨ておむつを展開して伸長した状態を示す展開平面図である。
【図６】図６は、図５のＸ１−Ｘ１線断面図である。
【図７】図７は、本発明の第２実施形態である吸収性物品の包装構造体を示す斜視図である。
【図８】図８は、図７に示す包装構造体で得られる図柄転写された吸収性物品の正面図である。
【図９】図９は、本発明の包装構造体を構成する吸収性物品の他の形態であるパンツ型使い捨ておむつの着用状態を示す斜視図である。
【図１０】図１０は、図９に示すパンツ型使い捨ておむつを展開して伸長した状態を示す展開平面図である。
【図１１】図１１は、図１０のＸ２−Ｘ２線断面図である。
【図１２】図１２は、本発明の包装構造体を構成する吸収性物品の他の形態である展開型の使い捨ておむつの着用状態を示す斜視図である。
【図１３】図１３は、図１２に示す展開型の使い捨ておむつを展開して伸長した状態を示す展開平面図である。
【図１４】図１４は、図１３のＸ３−Ｘ３線断面図である。
【発明を実施するための形態】
【００１０】
以下本発明を、その好ましい実施形態に基づき図面を参照して説明する。
本発明の一実施形態の包装構造体１００Ａは、図１，図２に示すように、吸収性物品の一例である使い捨ておむつ１Ａを包装体１０Ａに収容してなる吸収性物品（使い捨ておむつ）の包装構造体１００Ａである。
【００１１】
包装体１０Ａは、使い捨ておむつ１Ａを収容する所謂パッケージである。包装体１０Ａは、図１，図２に示すように、正面１０ａ、背面１０ｂ、左側面１０ｃ、右側面１０ｄ、上面１０ｅ、下面１０ｆからなる略直方体状のものであり、上面１０ｅに位置する封止部１０ｇで封止されて形成されている。
ここで「略直方体状」とは、直方体に限らず、その全体として直方体と同視し得るものも含む意味であり、例えば、各面、各辺及び各頂点が若干曲がっていたり、若干丸くなっていたり、折り曲げ部分や折り返し部分があったりするものも含む意味である。
【００１２】
包装体１０Ａは、その外面の一部に図柄を記載又は貼付可能な第１窓部１１と、第１窓部１１を覆う取り外し可能な被覆材１２とを有している。具体的には、図１に示すように、包装体１０Ａは、図１に示すように、正面１０ａの一部に、第１窓部１１を有している。第１窓部１１は、通常、被覆材１２で覆われており、例えば、紫外光が透過し難くなっており、内容物である使い捨ておむつ１Ａの経時変化等を引き起こし難くなっている。被覆材１２の第１窓部１１対向面には、一般的な粘着剤が塗布されている。
【００１３】
また、包装体１０Ａは、図１，図２に示すように、その外面の一部に第１窓部１１以外の他の窓部１３を有している。具体的には、図１に示すように、包装体１０Ａは、左側面１０ｃに矩形状の窓部１３を有しており、窓部１３を通して、内容物である使い捨ておむつ１Ａの状態を容易に確認することができる。
【００１４】
第１窓部１１は、図柄を記載又は貼付することが可能となっている。「図柄を記載する」とは、使い捨ておむつの包装構造体１００Ａを購入後、使い捨ておむつの購入者、おむつの着用者、養護者等が、油性のペンを用いて、自分が創造したオリジナルの柄（キャラクター模様、動物、乗り物、食べ物、植物、文字、音符、太陽、星、虹、雲など）を記載することを意味する。また、「図柄を貼付する」とは、使い捨ておむつの包装構造体１００Ａを購入後、使い捨ておむつの購入者、おむつの着用者、養護者等が、市販のキャラクター等のシールを貼付けたりすることを意味する。第１実施形態においては、２枚のうさぎのキャラクターのシール１４ａ，１４ｂが、当初から包装体１０Ａの左側面１０ｃに貼付けされている。そのため、使い捨ておむつの購入者、おむつの着用者、養護者等は、例えば、図１に示すように、シール１４ａを第１窓部１１に貼付することができるようになっている。
【００１５】
包装体１０Ａの第１窓部１１は、その形状が図柄である。具体的には、第１窓部１１は、第１実施形態においては、図１に示すように、ハート形状の図柄であり、第１窓部１１の形状に対応して、被覆材１２もハート形状の図柄となっている。ハート形状の第１窓部１１は、図１に示すように、シール１４ａ，１４ｂが貼付可能なように、うさぎのキャラクターのシール１４ａよりも大きく形成されている。尚、第１窓部１１の形状は、ハート形状以外に、三角形や四角形などの多角形状や直線と曲線から面積を構成する形状や曲線のみで面積を構成する形状等であってもよい。
【００１６】
包装体１０Ａは、第１窓部１１の外面が剥離処理されており、粘着剤の塗布された被覆材１２が再粘着可能となっている。このように、第１窓部１１の外面が剥離処理されていると、例えば、第１窓部１１に貼り付けたシール１４ａ，１４ｂも再粘着可能となる。従って、被覆材１２及びシール１４ａ，１４ｂは、何度でも張り直すことができ、何度でも使い回すことができる。剥離処理の方法は、通常、使い捨ておむつ等の吸収性物品の包装体に用いられる処理方法であれば、特に制限なく用いることができる。
【００１７】
包装体１０Ａは、第１窓部１１が、紫外光透過性のシート材で形成され、第１窓部１１以外の領域及び被覆材１２は、紫外光非透過性のシート材で形成されている。具体的には、包装体１０Ａは、ポリエチレン、ポリプロピレン、ポリエステル等の素材からなるシート材で形成されており、第１窓部１１以外の領域、即ち、第１窓部１１以外の正面１０ａ、背面１０ｂ、左側面１０ｃ（窓部１３を含む）、右側面１０ｄ、上面１０ｅ、下面１０ｆ、及び封止部１０ｇ、並びに被覆材１２が、黄変を防止する、例えばチタンを含有させて形成されており、紫外光非透過性となっている。また、第１窓部１１は、黄変を防止するチタン等を含有させて形成されておらず、紫外光透過性となっている。
【００１８】
包装体１０Ａには、収容された使い捨ておむつ１Ａを取り出すためのミシン目やチャック（不図示）が形成されている。ミシン目やチャック（不図示）は、第１窓部１１以外の領域に形成されていることが好ましい。また、包装内部の空気を調製でき、第一窓部とフォトクロミック化合物含有部位との位置あわせがしやすいという観点から、チャックが形成されていることが特に好ましい。
【００１９】
使い捨ておむつ１Ａは、図４，図５に示すように、腹側部Ａ、背側部Ｂ及び股下部Ｃに区分されている。使い捨ておむつ１Ａ（以下、単に「おむつ１Ａ」ともいう）は、図４に示すように、外層体が一体化したパンツ型使い捨ておむつである。おむつ１Ａは、図４，図５に示すように、中心線ＣＬに対して左右対称に形成されている。おむつ１Ａは、おむつ１Ａの伸長状態（図５参照）において、その縦方向（以下「Ｙ方向」ともいう。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その縦方向（Ｙ方向）に直交する方向（以下「Ｘ方向」という。）である。
おむつ１Ａは、図５に示すように、液透過性の表面シート２と、液不透過性の裏面シート３と、両シート間に介在する吸収体４とを有する吸収性本体５、及び吸収性本体５の裏面シート３側に配され接着固定された外層体６を備えている。おむつ１Ａの裏面シート３は、図６に示すように、樹脂フィルム３１のみから形成されている。
【００２０】
おむつ１Ａの外層体６は、図５に示すように、吸収性本体５の外方全域に亘って延出しており、縦方向（Ｙ方向）中央部において内方に括れている。外層体６は、図５に示すように、腹側部Ａ、背側部Ｂ及び股下部Ｃに区分されている。おむつ１Ａにおける外層体６の腹側部Ａの両側縁部６ａ，６ａの内面と背側部Ｂの両側縁部６ｂ，６ｂの内面同士を互いに重ね合わせ、合掌状に接合されて、図４に示すように、ウエスト開口部ＷＯ及び一対のレッグ開口部ＬＯ，ＬＯを有するおむつ１Ａが形成される。
【００２１】
おむつ１Ａの外層体６は、図５，図６に示すように、おむつの外面をなす外層シート６１と、外層シート６１の内面側に配された内層シート６２と、外層体６を構成する外層シート６１及び内層シート６２の間に、腹側部Ａの両側縁部６ａ，６ａ間及び背側部Ｂの両側縁部６ｂ，６ｂ間に亘って伸長した状態の複数本の弾性部材とを備えている。おむつ１Ａにおいては、外層シート６１は、図５に示すように、外層シート６１と内層シート６２とによって複数本の糸状の弾性部材を挟持固定する領域よりも更に縦方向（Ｙ方向）に延出する長さを有しており、外層シート６１における内層シート６２よりも延出した延出領域は、吸収性本体５側に折り返され、吸収性本体５の縦方向（Ｙ方向）の端部５ａ，５ｂを覆う位置まで延出し、接着剤（図示せず）を介して内層シート６２に接着されている。
【００２２】
おむつ１Ａにおいては、図５，図６に示すように、吸収性本体５の両側部５ｃ，５ｃそれぞれに立体ギャザー７が配されている。立体ギャザー７は、吸収性本体５の側部５ｃから幅方向（Ｘ方向）内方に延出している。立体ギャザー７は、パンツ型吸収性物品の展開且つ伸長状態において、立体ギャザー形成用シート７０と、立体ギャザー形成用シート７０の縦方向（Ｙ方向）に伸長状態で配された複数本の弾性部材７１とから形成される。
【００２３】
本発明の包装構造体が具備する吸収性物品は、裏面シート３を構成するフィルム３１よりも外面側にシート材が１枚又は２枚以上配されている。具体的におむつ１Ａを用いて説明すると、図６に示すように、おむつ１Ａは、裏面シート３を構成するフィルム３１よりも外面側に位置するシート材を２枚以上有しており、おむつ１Ａにおけるシート材には、裏面シート３を構成する樹脂フィルム３１の外面側に配された外層体６を構成する内層シート６２、及び内層シート６２の外面側に配された外層体６を構成する外層シート６１が該当する。
【００２４】
本発明の包装構造体が具備する吸収性物品においては、フィルム３１及び／又はシート材は、少なくとも一部がフォトクロミック化合物を用いて形成されている。具体的には、フィルム３１及び／又はシート材が、フォトクロミック化合物を含有した繊維からなる不織布を少なくとも一部に用いて形成されていてもよい。ここで「少なくとも一部に用いて形成されている」とは、フォトクロミック化合物を含有した繊維からなる不織布のみで（不織布を全面に用いて）形成されていてもよく、該繊維からなる不織布を貼り合わせて一部に用いて形成されていてもよいことを意味する。また、フィルム３１及び／又はシート材が、フォトクロミック化合物を含有するインクを全面に塗布して形成されていてもよく、一部に塗布して形成されていてもよい。
【００２５】
「フォトクロミック化合物」とは、単一の化学種が光の作用により分子量を変えることなく、閉環・開環反応などを引き起こし、吸収スペクトルの異なる状態間を可逆的に異性化し、黄色、赤色、青色など様々な色を発現する化合物を意味する。
フォトクロミック化合物は、光、特に紫外光の照射により、無色から有色に変化する化合物であり、光の作用によってのみ色変化を示す化合物と、光の作用のみならず熱の作用によっても色変化を示す熱可逆性の化合物とに大別される。光の作用によってのみ色変化を示すフォトクロミック化合物は、日常生活における色の変化が、紫外光を最初に照射した際にのみ起こる化合物である。また、光の作用のみならず熱の作用によっても色変化を示す熱可逆性のフォトクロミック化合物は、日常生活における色の変化が、紫外光を照射した際のみならず紫外光の照射を除いた際にも起こり、繰り返し性を有する化合物である。後述する方法により、自分が創造したオリジナルの柄等を、一度、おむつ１Ａに転写すると、オリジナルの柄等が消え難い観点から、光の作用によってのみ色変化を示すフォトクロミック化合物を用いることが好ましい。
【００２６】
光の作用によってのみ色変化を示すフォトクロミック化合物としては、ジアリールエテン類、フルギド類（特表２０１０−５１６３７５記載）等の化合物が挙げられる。
一方、光の作用のみならず熱の作用によっても色変化を示す熱可逆性のフォトクロミック化合物としては、ＨＡＢＩ類（ヘキサアリールビスイミダゾール）、スピロオキサジン類（特表２０１０−５１６３７５記載）、スピロピラン類等が挙げられる。
フォトクロミック化合物には、これらの中から選ばれた１種又は２種以上を用いることができる。
【００２７】
フィルム３１及び／又はシート材が、フォトクロミック化合物を含有した繊維からなる不織布を用いて形成されている場合、フォトクロミック化合物を含有した繊維は、フォトクロミック化合物を熱可塑性樹脂と混合して溶融ないし押出により紡糸して製造される繊維であることが好ましい。具体的には、スパンボンド法、メルトブローン法、スピニングブローン法等により溶融紡糸された繊維であることが好ましい。
【００２８】
例えば、スパンボンド法により溶融紡糸された繊維は、その繊維径が１〜１０ｄｔｅｘであることが好ましく、１〜５ｄｔｅｘであることが更に好ましい。
スパンボンド法により溶融紡糸された繊維からなるスパンボンド不織布は、その目付が１０〜４０ｇ／ｍ2であることが好ましく、１５〜３０ｇ／ｍ2であることが更に好ましい。
【００２９】
スパンボンド法により溶融紡糸された繊維におけるフォトクロミック化合物の配合量は、色合い・色むらの観点から、熱可塑性樹脂の０．００１〜４重量％であることが好ましく、０．０１〜２重量％であることが更に好ましい。尚、スパンボンド法により溶融紡糸された繊維は、無機粉体を含有して形成されていてもよい。
【００３０】
熱可塑性樹脂としては、ポリエチレン樹脂、ポリプロピレン樹脂、ポリエチレンテレフタレート樹脂、エチレン−プロピレンランダム共重合体の樹脂等が挙げられ、ポリプロピレンの非晶部分を多くすることによってフォトクロミック化合物の繊維への安定的な保持を可能にする観点から、エチレン−プロピレンランダム共重合体の樹脂が好ましい。
【００３１】
フィルム３１及び／又はシート材が、フォトクロミック化合物を含有するインクを塗布して形成されている場合、インクの塗布方法としては、フレキソ、グラビア、インクジェット方式等の公知の方法が挙げられる。このような方法を用いて、フィルム３１及び／又はシート材の外面の全域又一部を印刷する。インクを印刷する際には溶剤性のフォトクロミック組成物が好ましく、インクにおけるフォトクロミック化合物等の含有量は、０．１〜１重量％であることが好ましい。
【００３２】
前記インクには、フォトクロミック化合物等に加えて、他の成分を含有していてもよい。他の成分としては、例えば、染料や顔料等を挙げることができ、これらの１種を単独で又は２種以上を混合して用いることができる。前記インクにおけるフォトクロミック化合物等以外の他の成分の含有量は、２５〜７５重量％であることが好ましい。
【００３３】
おむつ１Ａにおいては、フィルム３１よりも外面側に位置する外層体６の外層シート６１の全域が、光の作用によってのみ色変化を示すフォトクロミック化合物を含有したスパンボンド不織布を用いて形成されている。
【００３４】
本発明の包装構造体は、吸収性物品を包装体に収納してなる。包装構造体１００Ａにおいては、第１窓部１１に対応する位置に、フォトクロミック化合物を用いて形成された、おむつ１Ａのフィルム３１又はシート材が配されている。図１，図２に示すように、紫外光透過性の第１窓部１１に対応する位置に、フォトクロミック化合物を含有したスパンボンド不織布からなる腹側部Ａの外層シート６１が配されるように、包装体１０Ａの正面１０ａと背面１０ｂとの間に、使い捨ておむつ１Ａが配されている。尚、おむつ１Ａのフィルム３１又はシート材の一部がフォトクロミック化合物を用いて形成されている場合には、該一部が、紫外光透過性の第１窓部１１に対応する位置に配されていることが好ましい。特に、第１窓部１１に対応する位置、即ち、図柄を転写させたい位置は、おむつ１Ａの備える吸収性本体５の吸収体４上であることが、吸収体４の剛性を利用して、図柄が綺麗に転写できる観点から好ましい。
【００３５】
フォトクロミック化合物を用いて形成された使い捨ておむつ１Ａのフィルム３１又はシート材の一部は、その大きさが第１窓部１１の大きさよりも大きいか又は等しいことが好ましい。上述したように、おむつ１Ａにおいては、フォトクロミック化合物を含有したスパンボンド不織布から外層シート６１全体が形成されているため、第１窓部１１の大きさよりも大きいが、例えば、おむつ１Ａのフィルム３１又はシート材の一部がフォトクロミック化合物を用いて形成されている場合には、該一部が、第１窓部１１の大きさよりも大きいか又は等しいことが好ましいことを意味する。このように、該一部が、第１窓部１１の大きさよりも大きいか又は等しいことにより、効率的に色変化を引き起こすことができる。
【００３６】
包装体１０Ａには、おむつ１Ａが複数収納されており、隣り合う一方の使い捨ておむつ１Ａの腹側部Ａと他方の使い捨ておむつ１Ａの背側部Ｂとを対向させて収納されている。包装構造体１００Ａにおいては、図２に示すように、４枚のおむつ１Ａそれぞれを、腹側部Ａの外層シート６１が第１窓部１１に向くように、圧縮整列状態で収納している。このように、使い捨ておむつを複数、包装体に収納する場合、フォトクロミック化合物を用いて形成された、フィルム３１又はシート材に図柄が転写され易い観点から、収納するおむつの枚数は、１〜１０枚であることが好ましい。
【００３７】
おむつ１Ａの形成材料について説明する。
吸収性本体５を構成する表面シート２及び吸収体４としては、それぞれ、通常、使い捨ておむつ等の吸収性物品に用いられるものであれば、特に制限なく用いることができる。例えば、表面シート２としては、親水性且つ液透過性の不織布等を用いることができ、吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。
【００３８】
立体ギャザー７を形成する立体ギャザー形成用シート７０としては、通常、使い捨ておむつ等の吸収性物品に用いられるものであれば、特に制限なく用いることができる。例えば、立体ギャザー形成用シート７０としては、液抵抗性又は撥水性で且つ通気性の、伸縮性フィルム、不織布、織物またはそれらの積層シート等を用いることができる。
外層シート６１及び内層シート６２の間に配される弾性部材（不図示）、立体ギャザー形成用シート７０に配される弾性部材７１としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３９】
上述した本発明の包装構造体の実施形態である包装構造体１００Ａを使用した際の作用効果について説明する。
本発明の包装構造体においては、被覆材１２を取り外した第１窓部１１に図柄を記載又は貼付すると、図柄以外の第１窓部１１の部分に対応する位置のフォトクロミック化合物が紫外光に反応して、該フォトクロミック化合物を用いて形成された吸収性物品（使い捨ておむつ１Ａ）のフィルム３１又はシート材に、前記図柄が転写する。具体的には、上述したように、おむつ１Ａにおいては、フィルム３１よりも外面側に位置する外層シート６１の全域が、光の作用によってのみ色変化を示すフォトクロミック化合物を含有したスパンボンド不織布を用いて形成されている。このように形成されたおむつ１Ａが、紫外光透過性の第１窓部１１に対応する位置に、フォトクロミック化合物を含有したスパンボンド不織布からなる腹側部Ａの外層シート６１を配するように、包装体１０Ａに収納されている。次に、購入者、おむつの着用者、養護者等が、被覆材１２を取り外した第１窓部１１に、例えば、図１に示すように、うさぎのキャラクターのシール１４ａを貼付した状態で、窓側等の太陽の下に放置すると、うさぎのシール１４ａ以外の第１窓部１１の部分に対応する位置の外層シート６１が紫外光に反応して、図３に示すように、第１窓部１１の形状の図柄１１’、及びうさぎのシール１４ａの形状１４ａ’が転写する。このように、包装構造体１００Ａによれば、自分が創造したオリジナルの柄等が容易に形成できる。従って、包装構造体１００Ａによれば、創造性が培われるとともに、自分が創造したオリジナルの柄等が形成された使い捨ておむつ１Ａを着用できる喜びを味わうことができる。
【００４０】
次に、第１窓部１１の図柄１１’及びうさぎの形状１４ａ’が転写したおむつ１Ａを、包装体１０Ａから取り出すと、転写したおむつ１Ａに隣り合うおむつ１Ａの外層シート６１にも、第１窓部１１の形状の図柄１１’、及びうさぎのシール１４ａの形状１４ａ’が転写する。このように、何度でも、自分が創造したオリジナルの柄等が容易に形成できる。また、包装体１０Ａの第１窓部１１が剥離処理されているので、うさぎのキャラクターのシール１４ａではなく、例えば、別のうさぎのキャラクターのシール１４ｂに容易に張り直すことができ、隣り合うおむつ１Ａの外層シート６１に、第１窓部１１の形状の図柄１１’、及びうさぎのシール１４ｂの形状１４ｂ’を容易に転写することもできる。
【００４１】
次に、本発明の包装構造体を、その好ましい第２実施形態に基づき、図７，図８を参照しながら説明する。
第２実施形態の包装構造体１００Ｂについては、第１実施形態の包装構造体１００Ａと異なる点について説明する。特に説明しない点は、包装構造体１００Ａと同様であり、包装構造体１００Ａの説明が適宜適用される。
【００４２】
包装構造体１００Ｂは、図７に示すように、吸収性物品の一例である使い捨ておむつ１Ａを包装体１０Ｂに収容してなる。
【００４３】
包装体１０Ｂは、図７に示すように、包装体１０Ａと同じく、略直方体状のものであるが、正面１０ａの全面が、図柄を記載又は貼付可能な第１窓部１１となっている。包装体１０Ｂは、第１窓部１１を覆う、取り外し可能な矩形状の被覆材１２を有している。第１実施形態においては、包装体１０Ｂの第１窓部１１に、おむつの着用者が選んだ市販のキャラクターのシール１４ｃが貼付され、おむつの着用者が油性のペンを用いて、多数の星の模様１４ｄ及びおむつの着用者の名前１４ｅが記載されている。
【００４４】
包装構造体１００Ｂにおいては、図７に示すように、紫外光透過性の第１窓部１１に対応する位置に、フォトクロミック化合物を含有したスパンボンド不織布からなる腹側部Ａの外層シート６１が配されるように、包装体１０Ｂの正面１０ａと背面１０ｂとの間に、使い捨ておむつ１Ａが配されている。
【００４５】
上述した本発明の包装構造体の実施形態である包装構造体１００Ｂを使用した際の作用効果について説明する。
おむつ１Ａにおいては、フィルム３１よりも外面側に位置する外層シート６１の全域が、光の作用によってのみ色変化を示すフォトクロミック化合物を含有したスパンボンド不織布を用いて形成されている。このように形成されたおむつ１Ａが、紫外光透過性の第１窓部１１に対応する位置に、フォトクロミック化合物を含有したスパンボンド不織布からなる腹側部Ａの外層シート６１を配するように、包装体１０Ｂに収納されている。次に、購入者、おむつの着用者、養護者等が、被覆材１２を取り外した第１窓部１１に、例えば、図７に示すように、キャラクターのシール１４ｃを貼付し、油性のペンを用いて、多数の星の模様１４ｄ及びおむつの着用者の名前１４ｅを記載した状態で、窓側等の太陽の下に放置すると、シール１４ｃ、多数の星の模様１４ｄ及びおむつの着用者の名前１４ｅ以外の第１窓部１１の部分に対応する位置の外層シート６１が紫外光に反応して、図８に示すように、シール１４ｃの形状１４ｃ’、多数の星の模様１４ｄの形状１４ｄ’及びおむつの着用者の名前１４ｅの形状１４ｅ’が転写する。このように、包装構造体１００Ｂによれば、自分が創造したオリジナルの柄等が容易に形成できる。従って、包装構造体１００Ｂによれば、創造性が培われるとともに、自分が創造したオリジナルの柄等が形成された使い捨ておむつ１Ａを着用できる喜びを味わうことができる。
【００４６】
本発明の吸収性物品の包装構造体は、図１，図２に示す包装構造体１００Ａ、図７に示す包装構造体１００Ｂに何ら制限されるものではなく、適宜変更可能である。また、上述の包装構造体における各構成要件は、本発明の趣旨を損なわない範囲で、適宜組み合わせて実施できる。
【００４７】
例えば、吸収性物品の一例である使い捨ておむつは、外層体が一体化したパンツ型使い捨ておむつ１Ａ以外に、外層体が腹側シート部材と背側シート部材に分断された分割タイプのパンツ型使い捨ておむつであってもよく、展開型の使い捨ておむつであってもよい。また、吸収性物品は、使い捨ておむつ以外に、生理用ナプキンであってもよい。
以下、分割タイプのパンツ型使い捨ておむつ、展開型の使い捨ておむつそれぞれを、その好ましい実施形態に基づき、図を参照しながら説明する。尚、以下に説明する使い捨ておむつについては、おむつ１Ａと異なる点について説明する。特に説明しない点は、おむつ１Ａと同様であり、おむつ１Ａの説明が適宜適用される。
【００４８】
図９〜図１１に示す使い捨ておむつは、分割タイプのパンツ型使い捨ておむつ１Ｂ（以下、単に「おむつ１Ｂ」ともいう）である。おむつ１Ｂは、表面シート２と、裏面シート３と、これらシート間に配された吸収体４とを備え、腹側部Ａ、背側部Ｂ及び股下部Ｃに区分された使い捨ておむつである。以下、詳述すると、おむつ１Ｂは、図９，図１０に示すように、着用者の腹側に配される横長の矩形状の腹側シート部材６Ａと、着用者の背側に配される横長の矩形状の背側シート部材６Ｂと、腹側シート部材６Ａ及び背側シート部材６Ｂに架け渡して固定された吸収性本体５と、吸収性本体５の両側部５ｃ，５ｃそれぞれに配された立体ギャザー７とを具備し、腹側シート部材６Ａの両側縁部６ａ，６ａと背側シート６Ｂの両側縁部６ｂ，６ｂとが接合されて、ウエスト開口部ＷＯと一対のレッグ開口部ＬＯ，ＬＯとが形成された（図９参照）使い捨ておむつである。尚、この接合には、例えばヒートシール、高周波シール、超音波シール、接着剤等が用いられる。
【００４９】
おむつ１Ｂの吸収性本体５は、図１０，図１１に示すように、液透過性の表面シート２、液不透過性又は撥水性の裏面シート３、及び両シート２、３間に介在配置された液保持性の吸収体４を有しており、図１０に示すように、縦方向（Ｙ方向）に長い長方形状に形成されている。吸収体４も、縦方向（Ｙ方向）に長い長方形状に形成されている。おむつ１Ｂの裏面シート３は、図１１に示すように、液不透過性又は撥水性の樹脂フィルム３１と、樹脂フィルム３１の外面に配した不織布３２とからなる積層体である。おむつ１Ｂの吸収性本体５には、裏面シート３と吸収体４との間に、色の変化により排尿を知らせるインジケーター５３が中心線ＣＬに沿って配されている。
吸収性本体５は、縦方向（Ｙ方向）の端部５ａ側の領域が、腹側シート部材６Ａに接着剤を介して固定され、縦方向（Ｙ方向）の端部５ｂ側の領域が、背側シート部材６Ｂに接着剤を介して固定されている。
【００５０】
腹側シート部材６Ａ及び背側シート６Ｂそれぞれは、縦方向（Ｙ方向）に離間させて配され且つ幅方向（Ｘ方向）に伸長した状態で配された複数本の弾性部材（不図示）を有している。おむつ１Ｂにおける腹側シート部材６Ａ及び背側シート部材６Ｂは何れも、図１０，図１１に示すように、おむつの外面をなす外層シート６１と、外層シート６１の内面側に配された内層シート６２と、両シート６１，６２間に、幅方向（Ｘ方向）に伸長した状態の複数本の弾性部材（不図示）とを備えている。おむつ１Ｂにおいては、外層シート６１は、図１０に示すように、外層シート６１と内層シート６２とによって複数本の糸状の弾性部材（不図示）を挟持固定する領域よりも更に縦方向（Ｙ方向）に延出する長さを有しており、外層シート６１における内層シート６２よりも延出した延出領域は、吸収性本体５側に折り返され、吸収性本体５の縦方向（Ｙ方向）の端部５ａ，５ｂを覆う位置まで延出し、接着剤（図示せず）を介して内層シート６２に接着されている。
【００５１】
吸収性本体５の両側部５ｃ，５ｃそれぞれに配された立体ギャザー７は、おむつ１Ｂにおいては、図１０，図１１に示すように、吸収性本体５の側部５ｃから幅方向（Ｘ方向）内方に延出する第１立体ギャザー７ａと、吸収性本体５の側部５ｃから幅方向（Ｘ方向）外方に延出する第２立体ギャザー７ｂとからなる。第１立体ギャザー７ａ及び第２立体ギャザー７ｂそれぞれは、パンツ型吸収性物品の展開且つ伸長状態において、立体ギャザー形成用シート７０と、立体ギャザー形成用シート７０の縦方向（Ｙ方向）に伸長状態で配された複数本の弾性部材７１とから形成される。
【００５２】
おむつ１Ｂにおいて、裏面シート３を構成する樹脂フィルム３１よりも外面側に配されたシート材には、図１１に示すように、裏面シート３を構成する樹脂フィルム３１の外面に配された不織布３２、不織布３２の外面側に配された腹側シート部材６Ａ及び背側シート部材６Ｂをそれぞれ構成する内層シート６２、及び内層シート６２の外面側に配された腹側シート部材６Ａ及び背側シート部材６Ｂをそれぞれ構成する外層シート６１が該当する。
従って、おむつ１Ｂにおいては、樹脂フィルム３１、不織布３２、腹側シート部材６Ａ及び背側シート部材６Ｂをそれぞれ構成する内層シート６２及び／又は外層シート６１は、少なくとも一部がフォトクロミック化合物を用いて形成されていればよい。
【００５３】
次に、図１２〜図１４に示す使い捨ておむつは、展開型の使い捨ておむつ１Ｃ（以下、単に「おむつ１Ｃ」ともいう）である。おむつ１Ｃは、着用時に着用者の背側に位置する背側部Ａ、着用者の腹側に位置する腹側部Ｂ、及び背側部Ａと腹側部Ｂとの間に配置される股下部Ｃを有する吸収性本体５を備えている。おむつ１Ｃは、図１２に示すように、背側部Ａの左右両側縁に連設された左右一対のファスニングテープ９，９を有している。おむつ１Ｃは、図１２に示すように、腹側部Ｂの外面には、ファスニングテープ９を止着するターゲットシート９１を有している。
尚、おむつ１Ｃは、図１２に示すように、平面状に拡げた状態において、吸収体４と同方向に長い形状を有している。
【００５４】
おむつ１Ｃの吸収性本体５は、図１２，図１３に示すように、縦方向（Ｙ方向）に長く、縦方向（Ｙ方向）の両側縁が、縦方向（Ｙ方向）の中央部において内方に括れた形状を有しており、縦方向（Ｙ方向）の両端部それぞれの幅が、縦方向（Ｙ方向）の中央部の幅よりも広くなっている。吸収性本体５は、図１２，図１３に示すように、おむつ１Ｃの内面をなす表面シート２と、おむつ１Ｃの外面をなす裏面シート３と、これらのシート２，３間に介在された吸収体４とを有している。表面シート２及び裏面シート３それぞれは、図１２，図１３に示すように、吸収体４の肌当接面側の全面及び非肌当接面側の全面を覆っており、吸収体４の周縁から延出している。また、表面シート２は、図１４に示すように、Ｘ方向の長さが裏面シート３のＸ方向の長さよりも短くなっている。おむつ１Ｃの裏面シート３は、図１４に示すように、樹脂フィルム３１と、樹脂フィルム３１の外面に配した不織布３２とからなる積層体である。おむつ１Ｃのターゲットシート９１は、図１４に示すように、裏面シート３を構成する不織布３２の外面に配されている。
【００５５】
おむつ１Ｃの吸収性本体５には、図１３に示すように、Ｙ方向の両側部５ｃ，５ｃそれぞれに、表面シート２を介してサイドシート５０が配されている。サイドシート５０は、図１３に示すように、表面シート２の肌当接面側であって、縦方向（Ｙ方向）の側部全域に亘って配設固定されている。各サイドシート５０のＸ方向の内方（中心線ＣＬ寄り）の端部は、図１４に示すように、自由端となっており、股下部Ｃにおける自由端近傍には立体ギャザー形成用の弾性部材７１が縦方向（Ｙ方向）に伸長状態で配設固定されており、着用時には、その弾性部材の収縮力により、自由端から所定幅の部分が表面シート２から離間して立体ギャザー７が形成される。
【００５６】
吸収性本体５の両側部５ｃ，５ｃには、図１３，図１４に示すように、腹側部Ａ及び背側部Ｂそれぞれにおいて、Ｘ方向の外方に延出したサイドシート５０と裏面シート３とが接合され、サイドフラップ部５１が形成されている。吸収性本体５には、図１３，図１４に示すように、股下部Ｃにおいて、幅方向（Ｘ方向）外方に延出したサイドシート５０と裏面シート３とが接合され、レッグフラップ部５２が形成されている。レッグフラップ部５２には、股下部Ｃにおいて、レッグギャザー形成用の弾性部材７１が長手方向（Ｙ方向）に伸長状態で配設固定されており、着用時には、その弾性部材の収縮力により、レッグギャザーが形成される。
【００５７】
おむつ１Ｃにおいて、裏面シート３を構成する樹脂フィルム３１よりも外面側に配されたシート材には、図１４に示すように、裏面シート３を構成する樹脂フィルム３１の外面に配された不織布３２、不織布３２の外面に配されたターゲットシート９１が該当する。
従って、おむつ１Ｃにおいては、樹脂フィルム３１、不織布３２及び／又はターゲットシート９１は、少なくとも一部がフォトクロミック化合物を用いて形成されていればよい。
【００５８】
また、図１，図７に示す包装体１０Ａ，１０Ｂには、複数の使い捨ておむつが、隣り合う一方のおむつの腹側部Ａと他方のおむつの背側部Ｂとを対向させて、圧縮整列状態で収納されているが、個々の使い捨ておむつが折り畳まれた状態で収納されていてもよい。折り畳まれた状態でおむつが包装体に収納される場合、折り畳まれた状態のおむつ吸収体４の部分が、第１窓部１１に向くように、圧縮整列状態で収納されていることが好ましい。
【符号の説明】
【００５９】
１００Ａ，１００Ｂ  包装構造体
１０Ａ，１０Ｂ  包装体
１０ａ  正面、１０ｂ  背面、１０ｃ  左側面、１０ｄ  右側面、
１０ｅ  上面、１０ｆ  下面、１０ｇ  封止部
１１  第１窓部
１２  被覆材
１３  窓部
１４ａ，１４ｂ  うさぎのキャラクターのシール、１４ｃ  キャラクターのシール、
１４ｄ  星の模様、１４ｅ  名前
１Ａ，１Ｂ，１Ｃ  使い捨ておむつ
２  表面シート
３  裏面シート
３１  樹脂フィルム
３２  不織布
４  吸収体
５  吸収性本体
５ａ，５ｂ  縦方向（Ｙ方向）の端部
５ｃ  吸収性本体の側部
５０  サイドシート
５１  サイドフラップ部
５２  レッグフラップ部
５３  インジケーター
６Ａ  腹側シート部材
６ａ  側縁部
６Ｂ  背側シート部材
６ｂ  側縁部
６１  外層シート
６２  内層シート
７  立体ギャザー
７ａ  第１立体ギャザー
７ｂ  第２立体ギャザー
７０  立体ギャザー形成用シート
７１  弾性部材
８  グラフィック
９  ファスニングテープ
９１  ターゲットシート
【図１】
0005709712.tif 000002
【図２】
0005709712.tif 000003
【図３】
0005709712.tif 000004
【図４】
0005709712.tif 000005
【図５】
0005709712.tif 000006
【図６】
0005709712.tif 000007
【図７】
0005709712.tif 000008
【図８】
0005709712.tif 000009
【図９】
0005709712.tif 000010
【図１０】
0005709712.tif 000011
【図１１】
0005709712.tif 000012
【図１２】
0005709712.tif 000013
【図１３】
0005709712.tif 000014
【図１４】
0005709712.tif 000015